(57)【要約】【課題】紙芝居などのように、使用者が、おもてに表示された絵柄を対象者と共に見ながら、絵柄に関連する文章を朗読することができるイメージ情報表示装置を提供する。【解決手段】上端が綴じ部２０で綴じ込まれた表示片２−１〜４を、順に捲り上げると、後方に配置された載置部材４２の上に順に載せられる。載置部材４２は、後方下方に若干傾斜して構成されているので、装置１の側方に位置する使用者は、おもてのイメージ情報Ｊ１を対象者と共に覗き込みながら、表示片２−１の裏側に表示されている文字情報Ｊ２を朗読することができる。【選択図】図１
2017114015.tif 000002
【特許請求の範囲】
【請求項１】
視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面のイメージ情報を視認させることで、つながりのある情報を表現するとともに、表示片の裏面に表示された文字情報は、隣接する表示片のイメージ情報に関連する情報を担持する情報であるイメージ情報表示装置であって、
前記表示片の表面を起立させた状態に維持するとともに、裏側に位置する表示片を、起立させられた表面に対して傾斜した状態で保持する台座を有することを特徴とするイメージ情報表示装置。
【請求項２】
前記台座は、前記表示片の裏面に沿って配置される表示片保持部材と、
前記表示片保持部材が一端部に折り曲げ自在に接続された基材と、
前記表示片保持部材の他端部に折り曲げ自在に接続された支持部材と、
前記基材に設けられ、前記支持部材の先端部が着脱自在に係止られる第１係止部とを備え、
前記第1係止部に前記支持部材の先端部が接続され、前記表示片保持部材が表示片を起立状態に維持する使用状態と、
前記第1係止部から前記支持部材の先端部を取り外し、前記基材と前記支持部材とを、前記表示片保持部材に重なるように折り曲げることにより、前記複数の表示片と台座とが重なった収納状態となることを特徴とする請求項１に記載のイメージ情報表示装置。
【請求項３】
前記台座は、更に前記表示片保持部材の一端部に、一端が折り曲げ自在に接続された載置部材と、
前記載置部材の他端に、一端が折り曲げ自在に接続され、他端が前記基材に着脱自在に係止される第２係止部を備えた立設部材とを有し、
前記第２係止部が前記基材に係止められた状態で、前記載置部材上に前記表示片が載置され得る使用状態となり、前記第２係止部を前記基材から取り外し、前記載置部材と前記立設部材をと折り畳んで、前記複数の表示片と台座とが重なった収納状態とすることを特徴とする請求項２に記載のイメージ情報表示装置。
【請求項４】
前記台座は、前記表示片の裏側に配置され、前記複数の表示片とともに綴じ部によって上端縁が綴じられた前側部材と、
前記前側部材の下端に対して、直接または間接に、折り曲げ自在に接続された後側部材と、
前記前側部材と前記後側部材との間に架設されるとともに、それ自体で折り畳み可能に構成された連結部材とを有し、
前記連結部材が折り畳まれて、前記前側部材と前記後側部材とが、前記表示片の裏側に重なった収納状態と、
前記連結部材が引張されて、前記前側部材と前記後側部材とが上方へ向けて間隔が広がる姿勢となり、前記連結部材の上方に表示片を載置する載置部を構成するとともに、前記綴じ部の下方に複数の表示片を垂らした使用状態とに変更可能であることを特徴とする請求項１に記載のイメージ情報表示装置。
【発明の詳細な説明】
【技術分野】
【０００１】
この発明は、イメージ情報表示装置に係り、詳しくは、例えば紙芝居などのように、表側にイメージ情報を裏側に文字情報を担持するイメージ情報表示装置に関するものである。
【背景技術】
【０００２】
従来、紙芝居などのように、絵柄を表に表示し、その裏側にその絵柄を説明する文章が表示されている教育用具がある。このような教育用具は、絵柄の前に対象者を配置し、用具を挟んで対象者の反対側に使用者が位置し、絵柄を対象者に見せながら、絵柄の反対側に表示された文章を、使用者が朗読することにより、絵柄に関連した情報を伝える、といった使用法が採られていた。
【先行技術文献】
【特許文献】
【０００３】
【特許文献１】特開２０００−１１８１６６号
【発明の概要】
【発明が解決しようとする課題】
【０００４】
従来の紙芝居の使用方法は、上記の通りであるが、近年出願人は紙芝居において、対象者が集中し易い使用方法を考案した。その方法とは、紙芝居の表に表示されている絵柄を、読み手が対象者とともに見ながら、朗読することである。このような朗読方法を採用すると、対象者の集中の度合いが向上する。
【０００５】
しかしながら、従来の紙芝居の構成は、絵柄の反対側に文章が表示されているため、対象者と一緒に使用者が表の絵柄を見ることが不可能であった。また、使用者が表の絵柄を、対象者とともに見ながら、説明をするためには、少なくとも紙芝居の裏側ではなく、左右いずれかの側方に位置しなければならない。しかし、この位置で、裏側の文章を朗読しつつ、表の絵柄を見るには、頭の向きを表側と裏側に交互に移動させなければならず、使用者の動きが不自然となり、かえって対象者の集中を妨げることとなるといった問題があった。
【０００６】
この発明は、紙芝居などのように、使用者が、表に表示された絵柄を対象者と共に見ながら、絵柄に関連する文章を朗読することができるイメージ情報表示装置を提供することを目的とするものである。
【課題を解決するための手段】
【０００７】
以上のような問題を解決する本発明は、以下のような構成を有する。
（１）視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面のイメージ情報を視認させることで、つながりのある情報を表現するとともに、表示片の裏面に表示された文字情報は、隣接する表示片のイメージ情報に関連する情報を担持する情報であるイメージ情報表示装置であって、
前記表示片の表面を起立させた状態に維持するとともに、裏側に位置する表示片を、起立させられた表面に対して傾斜した状態で保持する台座を有することを特徴とするイメージ情報表示装置。
【０００８】
（２）前記台座は、前記表示片の裏面に沿って配置される表示片保持部材と、
前記表示片保持部材が一端部に折り曲げ自在に接続された基材と、
前記表示片保持部材の他端部に折り曲げ自在に接続された支持部材と、
前記基材に設けられ、前記支持部材の先端部が着脱自在に係止られる第１係止部とを備え、
前記第1係止部に前記支持部材の先端部が接続され、前記表示片保持部材が表示片を起立状態に維持する使用状態と、
前記第1係止部から前記支持部材の先端部を取り外し、前記基材と前記支持部材とを、前記表示片保持部材に重なるように折り曲げることにより、前記複数の表示片と台座とが重なった収納状態となることを特徴とする上記（１）に記載のイメージ情報表示装置。
【０００９】
（３）前記台座は、更に前記表示片保持部材の一端部に、一端が折り曲げ自在に接続された載置部材と、
前記載置部材の他端に、一端が折り曲げ自在に接続され、他端が前記基材に着脱自在に係止される第２係止部を備えた立設部材とを有し、
前記第２係止部が前記基材に係止められた状態で、前記載置部材上に前記表示片が載置され得る使用状態となり、前記第２係止部を前記基材から取り外し、前記載置部材と前記立設部材をと折り畳んで、前記複数の表示片と台座とが重なった収納状態とすることを特徴とする上記（２）に記載のイメージ情報表示装置。
【００１０】
（４）前記台座は、前記表示片の裏側に配置され、前記複数の表示片とともに綴じ部によって上端縁が綴じられた前側部材と、
前記前側部材の下端に対して、直接または間接に、折り曲げ自在に接続された後側部材と、
前記前側部材と前記後側部材との間に架設されるとともに、それ自体で折り畳み可能に構成された連結部材とを有し、
前記連結部材が折り畳まれて、前記前側部材と前記後側部材とが、前記表示片の裏側に重なった収納状態と、
前記連結部材が引張されて、前記前側部材と前記後側部材とが上方へ向けて間隔が広がる姿勢となり、前記連結部材の上方に表示片を載置する載置部を構成するとともに、前記綴じ部の下方に複数の表示片を垂らした使用状態とに変更可能であることを特徴とする上記（１）に記載のイメージ情報表示装置。
【発明の効果】
【００１１】
請求項１に記載の発明によれば、台座によって表示片のイメージ情報は、略起立状態に維持されるので、対象者にとって見やすい姿勢となり、対象者に対して表示されているイメージ情報に関連する文字情報は、略上方に向けて保持される。装置の側方に位置する使用者にとっては、イメージ情報も文字情報も見やすい位置となり、対象者とともにイメージ情報を見つつ、文字情報を読み聞かせることが可能となる。
【００１２】
請求項２に記載の発明によれば、表示片を起立状態とする使用状態と、表示片保持部材と表示片と、基材と、支持部材とを折り畳んで平たく重ねた収納状態とに切り替えることができ、収納状態での持ち運びが容易となる。
【００１３】
請求項３に記載の発明によれば、さらに、表示片を載置部材に上に載置する使用状態から、載置部材と立設部材とを折り畳んで、表示片保持部材に重ねて平たくした収納状態に切り替えることができ、収納状態での持ち運びが容易となる。
【００１４】
請求項４に記載の発明によれば、前側部材と後側部材とが上方へ向けて広がった使用状態と、連結部材を前側部材と後側部材の間に折り込んで、前側部材と後側部材と、表示片とを重ねて平たくした収納状態とに切り替え可能となる。
【図面の簡単な説明】
【００１５】
【図１】本発明のイメージ情報表示装置の使用状態における全体斜視図である。
【図２】本発明のイメージ情報表示装置の全体斜視図である。
【図３】本発明のイメージ情報表示装置の全体斜視図である。
【図４】本発明のイメージ情報表示装置の全体斜視図である。
【図５】本発明のイメージ情報表示装置の収納状態における全体斜視図である。
【図６】本発明のイメージ情報表示装置の他の実施形態における全体斜視図である。
【図７】本発明のイメージ情報表示装置の他の実施形態における全体斜視図である。
【図８】本発明のイメージ情報表示装置の他の実施形態における全体斜視図である。
【発明を実施するための形態】
【００１６】
以下、本発明の好適実施形態について、添付図面に基づいて詳述する。図１は、本発明のイメージ情報表示装置１の全体斜視図である。イメージ情報表示装置１は、複数の重ねられた表示片２−１〜４と、複数の表示片の一端辺を開閉自在に綴じる綴じ部２０と、基材３１と、表示片保持部材３２と、支持部材３３と、載置部材４２と、立設部材４１とを備えている。そして、基材３１と、表示片保持部材３２と、支持部材３３と、載置部材４２と、立設部材４１とによって台座が構成されている。
【００１７】
表示片２−１〜４は、それぞれ正面側に位置する表面２１−１〜４に絵柄等のイメージ情報Ｊ１が表示され、背面側に位置する裏面２２−１〜４にひらがなや漢字からなる文字情報Ｊ２が表示される。正面から裏に向かって順に重ねられる表示片２−１〜４には、順に相互に関連する絵が表示され、これらを順に視認することで連続したひとつの纏まった情報が表現されるように構成されている。ひとつの纏まった情報とは、例えば、物語や特定の事象に対する説明や、教育的な効果を与えるために関連付けられたイメージ情報などである。
【００１８】
表示片の裏側２２−ｎ（ｎは自然数）に表示される文字情報によってあらわされる内容は、１つ後の表示片２−（ｎ＋１）の表面２１−（ｎ＋１）に表示されているイメージ情報に関連する内容である。例えば、表示片２−１の裏面２２−１に表示されている文字情報Ｊ２は、一つ後の(隣接する)表示片２−２の表面２１−２に表示されているイメージ情報Ｊ１に関連する内容を表している。
【００１９】
例えば、本発明の実施形態が紙芝居である場合には、表示片２−１〜４に順に表示される絵は、連続してひとつの物語を構成し、表示片２−１〜４の裏面に表示される文字情報には、一つ後の表示片の絵に関連した物語が文字情報として記載される。文字情報は、日本語、外国語のいずれでもよく、ひらがな、カタカナ、漢字などにより、文章が構成される。
【００２０】
本発明のイメージ情報表示装置１は、装置１の後側でなく、側方に使用者が位置し、文字情報を読み取ることも想定しているので、文字の向きは、側方に位置した使用者が見やすい向きとなっており、必ずしも表面の絵柄と同じ向き、或いは反対向きであるとは限らない。例えば、図１に記載のイメージ情報表示装置１では、使用者は、イメージ情報表示装置１の正面に向かって右側（図１中、手前側）に位置し、その位置から文字情報を読みやすくするため、文字は横書きとし、綴じ部２０側から、開放端部へ向けて読み進むように、文字情報が構成される。
【００２１】
また、使用者がイメージ情報表示装置１の後側に位置して文字情報を読む使用状況を想定する場合には、裏面に表示される文字情報は、例えば、文字は縦書きとし、綴じ部２０側から、開放端部へ向けて読み進むように、文字情報が構成される。
【００２２】
以上のように構成された複数の表示片２−１〜４は、それぞれの端部を同時に綴じる綴じ部２０が設けられている。綴じ部２０は、例えば、端辺に平行に配列された複数の孔と、該複数の孔に通されたリング状または螺旋条の線材とを備え、各表示片２−１〜４がそれぞれ単独で開閉できるように構成されている。
【００２３】
この綴じ部２０には、表示片２−１〜４の他に、台座を構成する表示片保持部材３２と、支持部材３３と、載置部材４２の一端部が表示片２−１〜４と同様の構成でそれぞれ綴じられている。従って、表示片２−１〜４と、表示片保持部材３２、支持部材３３、載置部材４２は、綴じ部２０を介して相互に開閉自在に構成される。
【００２４】
表示片保持部材３２は、複数の表示片２−１〜４の裏側に位置し、裏側から表示片を支える部材であって、図１に示されているように、使用状態では、表示片保持部材３２の表面に沿って複数の表示片２−１〜４が位置する。
【００２５】
表示片保持部材３２の他端部には、基材３１が折り曲げ自在に接続されている。この実施形態では、表示片保持部材３２と基材３１は同一部材であって、折り目を介して連続した部材で構成されている。基材３１には、２つの第１係止部３１２ａ、３１２ａが設けられている。第１係止部３１２ａ、３１２ａは、基材３１にコの字形状の切込みを形成し、この切込みで形成された折曲片を上側に折り曲げて形成される。第１係止部３１２ａには、後述するとおり、ファスナ３１３ａが設けられている。
【００２６】
表示片保持部材３２の後側には、支持部材３３が綴じ込まれている。支持部材３３は、表示片保持部材３２と略同形状であって、他端部には、ファスナ３１３ａに着脱自在に係合させられるファスナ３３１が設けられている。図１にしめされているような使用状態では、ファスナ３１３ａとファスナ３３１は接合されており、支持部材３３は、基材３１に固定された状態となっている。この状態で、表示片保持部材３２と支持部材３３と基材３１は、側面視で３角形状を構成する。この３角形状を構成することによって、複数の表示片２−１〜４を起立状態で支えるに足る剛性を備えた台座の一部が構成される。表示片保持部材３２と、基材３１は、略同じ大きさに構成されており、表示片保持部材３２の綴じ部２０が設けられた端部から反対側の端部までの距離は、表示片のそれよりも長く構成されている。また、基材３１の折り目から、反対側の端部までの距離も、表示片のそれよりも長く構成されている。また、図２に示されているように、基材３１の他端部にも、ファスナ３１１、３１１が配置されている。
【００２７】
載置部材４２は、支持部材３３の更に後側に位置しており、綴じ部２０に対して、反対側の端部には、立設部材４１が折り曲げ自在に接続されている。さらに、立接部材４１の先端部には、幅細の折り曲げ部４３が設けられており、該折り曲げ部４３には、第２係止部であるファスナ４３１、４３１が設けられている。ファスナ４３１、４３１は、基材３１に設けられている既述のファスナ３１１、３１１に着脱自在に接続される。
【００２８】
図１に示されている状態はでは、ファスナ４３１、４３１がファスナ３１１、３１１に接続固定されており、載置部材４２は、立接部材４１によって下側から支えられ、綴じ部２０から、後方下方に傾斜した状態となっている。表示片２−１〜４は、表側（前側）に位置する表示片から順に、綴じ部２０を中心として捲りあげられて、載置部材４２の上に載せられる。載置部材４２は後方下方に傾斜しているので、正面側から表示片のイメージ情報を見ている対象者の視界には、載置部材４２に載っている表示片が入らない。
【００２９】
つまり、対象者は表示片のイメージ情報にのみに集中することができる。また、表示片は、上方へ捲りあげられることにより、次の表示片のイメージ情報が現れるので、絵柄が一瞬で替わるような印象を対象者に与えることができる。また、載置部材４２に載った表示片の裏面は、略上方を向いているので、側方に位置する使用者は、裏面の文字情報を容易に把握することができ、前側に表示されている表示片のイメージ情報を対象者と共に見ながら、文字情報を読み上げることが容易となる。
【００３０】
以上のように構成されたイメージ情報表示装置１は、以下のような操作により、折り畳まれた収納状態に変更することが可能である。図２に示されているように、立接部材４１の折り曲げ部４３のファスナ４３１、４３１を、基材３１のファスナ３１１、３１１から外し、折り曲げ部４３を延ばして、載置部材４２と立接部材４１が重なるように内側に折り曲げる。載置部材４２と立接部材４１が重なった状態では、表示片や支持部材３３の大きさよりも若干小さな状態となる。次に、図３に示されているように、基材３１の第１係止部３１２ａ、３１２ａのファスナ３１３ａ、３１３ａと、支持部材３３のファスナ３３１、３３１との接合を解除し、第１係止部３１２ａ、３１２ａを切込み３１２ａ、３１２ａ内に収める。
【００３１】
次いで、図４に示されているように、表示片保持部材３２に対して基材３１を反対側に折り込む。最後に、図５に示されているように、表示片保持部材３２と基材３１との間に、支持部材３３、表示片２−１〜４、載置部材４２、立接部材４１を挟み込んだ状態で重ね合わせ、嵩が減少した収納状態とする。
【００３２】
図６の他の実施形態の全体斜視図である。この実施形態については、表示片２−１〜３の構成と、綴じ部２０の構成は、既述の実施形態と同様であるので、説明を省略し、台座部分に構成について説明する。
【００３３】
台座は、前側部材６２と後側部材６３と連結部材６４と底部材６１で構成されている。前側部材６２は、一端部が綴じ部２０に表示片２−１〜３とともに綴じられており、その他端部には、底部材６１を介して後側部材６３が折り曲げ自在に接続されている。前側部材６２の綴じ部２０から他端部までの長さは、表示片２−１〜３のその長さより少し長く構成されており、図６に示されている使用状態で、綴じ部２０の下側に表示片２−１〜３が垂れ下がることが可能となるような長さに設定されている。
【００３４】
底部材６１の一端部は、前側部材６２に折り曲げ自在に接続され、更に底部材６１の他端部には、後側部材６３の一端部が折り曲げ自在に接続されている。後側部材６３の他端部には、連結部材６４の一端部が接続されており、連結部材６４の他端部は、綴じ部２０に綴じ込まれている。連結部材６４は、少なくとも湾曲変形自在なシート材で構成されており、任意の位置で折り畳み可能な部材である。使用状態では、底部材６１の両端部から、前側部材６２と後側部材６３が上方へ向けて、間隔が増加する姿勢となり、連結部材６４が後側部材６３の後方への揺動を規制する。
【００３５】
図７に示されているように、使用状態では、捲りあげられた表示片２−１は、連結部材６４の上に載せられる。或いは、後側部材６３の上端縁上に載せられる。後側部材６３と底部材６１とを繋げた長さは、前側部材６２と同程度か、または若干小さく構成されている。このため、使用状態において、後側部材６３の上端縁６３１は、綴じ部２０高さよりも低い位置となり、捲り上げられた表示片２−１は、後方下方へ傾斜した状態で保持される。これにより、既述の実施形態と同様の作用が発揮される。
収容状態にするには、連結部材６４を内側に折り込み、前側部材６２に対して、底部材６１と後側部材６３を重ねた状態とし、このように折り畳まれた台座を表示片２−１〜３に重ねる。
【００３６】
以上説明した構成は、表示片２−１〜４が、表示片保持部材３２の正面側に最初に配置され、表示片２−１から順に捲って、最後に表示片２−４の表面２１−４が現れるように、使用される場合について説明されている。この逆の使用方法でもよい。つまり、最初に載置部材４２上に表示片２−１〜２−４を重ねて載置し、表示片２−４から順に正面側へ捲り落とし、表面２１−４、２１−３・・と順に表示し、最後に表示片２−１の表面２１−１を表示するといった使用方法を採ることもできる。この場合には、表示片の裏側２２−ｎ（ｎは自然数）に表示される文字情報によってあらわされる内容は、１つ前の表示片２−（ｎ−１）の表面２１−（ｎ−１）に表示されているイメージ情報に関連する内容である。例えば、表示片２−３の裏面２２−３に表示されている文字情報Ｊ２は、一つ前の表示片２−４の表面２１−４に表示されているイメージ情報Ｊ１に関連する内容を表している。
【００３７】
例えば、本発明の実施形態が紙芝居である場合には、表示片２−４〜１に順に表示される絵は、連続してひとつの物語を構成し、表示片２−４〜１の裏面に表示される文字情報には、一つ前の(隣接する)表示片の絵(イメージ情報)に関連した物語が文字情報として記載される。このような使用方法の場合では、上から新しい表示片２が落下してくるため、場面を瞬時に替えることが容易となる。
【００３８】
図８は、他の実施形態における全体斜視図である。各表示片２−１〜４の裏面２２−１〜４には、文字情報Ｊ２が表示された文字情報表示部材２３−１〜４がそれぞれ取り付けられている(図８では、文字情報表示部材２３−１のみが描かれている。)。図８では、表示片２−１が載置部材４２の上に載せられ、裏面２２−１が上側に露出した状態であり、その裏面に文字情報表示部材２３−１が取り付けられている。文字情報表示部材２３−１は、矩形のシート材で構成され、綴じ部２０と載置部材４２の側端部から離れた角部に、固定部２３２を有している。固定部２３２には折り目２３１の角部側に位置し、折り目２３１で文字情報表示部材２３−１を折り曲げることによって、文字情報表示部材２３−１の裏側面２３ｂ−１が外側に表示される(図８中、想像線で示されている。)ように構成されている。
【００３９】
文字情報表示部材２３−１の表側面２３ｆ−１と、裏側面２３ｂ−１とには、それぞれ文字情報Ｊ２が表示され、表裏面で同じ情報が表示されている。そして、使用者が装置１の側方に位置して文字情報Ｊ２を読む場合には、表側面２３ｆ−１を表にして使用し、装置１の後ろ側に位置して文字情報Ｊ２を読む場合には、折り目２３１で折り返し、裏側面２３ｂ−１を表にして使用する。
【００４０】
文字情報Ｊ２は、表側面２３ｆ−１と、裏側面２３ｂ−１とで、それぞれの使用位置(側方位置と、後ろ側位置)で読みやすい配列で表示される。例えば、側方から読む表側面２３ｆ−１では、横書きとし、後ろ側から読む裏側面２３ｂ−１では、縦書きとしてもよい。また、使用する文字や言語を変更する場合には、文字情報表示部材２３−１を他の文字や言語で表示されたものに交換し、或いは上から覆い被せて貼り付けるように構成してもよい。
【符号の説明】
【００４１】
１  イメージ情報表示装置
２−１〜４  表示片
２０  綴じ部
２１  表面
２２  裏面
２３  文字情報表示部材
Ｊ１  イメージ情報
Ｊ２  文字情報
３１  基材
３２  表示片保持部材
３３  支持部材
４１  立接部材
４２  載置部材
６２  前側部材
６３  後側部材
６４  連結部材
【図１】
2017114015.tif 000003
【図２】
2017114015.tif 000004
【図３】
2017114015.tif 000005
【図４】
2017114015.tif 000006
【図５】
2017114015.tif 000007
【図６】
2017114015.tif 000008
【図７】
2017114015.tif 000009
【図８】
2017114015.tif 000010
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面を視認することで、つながりのある情報を表現するとともに、表示片の裏面に表示された文字情報は、一つ後の表示片のイメージ情報に関連した情報であるイメージ情報表示装置であって、
前記表示片の表面を起立させた状態に維持するとともに、裏側に繰られた表示片を、起立させられた表面に対して傾斜した状態で保持する台座を有し、
前記台座は、前記表示片の裏面に沿って配置され、前記表示片の表面を起立させた状態に維持する表示片保持部材と、
前記表示片保持部材の一端部に、一端が折り曲げ自在に接続され、裏側に繰られた表示片を、起立させられた表面に対して傾斜した状態で、表示片の裏面が、略上方を向くように保持する載置部材と、
前記載置部材の他端に、一端が折り曲げ自在に接続され、前記載置部材を下側から支える立設部材とを備えていることを特徴とするイメージ情報表示装置。
【請求項２】
更に、前記台座は、
前記表示片保持部材の一端部に折り曲げ自在に接続された支持部材と、
前記表示片保持部材の他端部に折り曲げ自在に接続された基材と、
前記基材に設けられ、前記支持部材の先端部が着脱自在に係止される第１係止部とを備え、
前記第1係止部に前記支持部材の先端部が接続され、前記表示片保持部材が表示片を起立状態に維持する使用状態と、
前記第1係止部から前記支持部材の先端部を取り外し、前記基材と前記支持部材とを、前記表示片保持部材に重なるように折り曲げることにより、前記複数の表示片と台座とが重なった収納状態となることを特徴とする請求項１に記載のイメージ情報表示装置。
【請求項３】
前記立設部材の他端には、前記基材に着脱自在に係止される第２係止部を備え、
前記第２係止部が前記基材に係止された状態で、前記載置部材上に前記表示片が載置され得る使用状態となり、前記第２係止部を前記基材から取り外し、前記載置部材と前記立設部材とを折り畳んで、前記複数の表示片と台座とが重なった収納状態とすることを特徴とする請求項２に記載のイメージ情報表示装置。
【請求項４】
視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面を視認することで、つながりのある情報を表現するとともに、表示片の裏面に表示された文字情報は、一つ後の表示片のイメージ情報に関連した情報であるイメージ情報表示装置であって、
前記表示片の表面を起立させた状態に維持するとともに、裏側に繰られた表示片を、起立させられた表面に対して傾斜した状態で保持する台座を有し、
前記台座は、前記表示片の裏側に配置され、前記複数の表示片とともに綴じ部によって上端縁が綴じられた前側部材と、
前記前側部材の下端に対して、直接または間接に、折り曲げ自在に接続された後側部材と、
前記前側部材と前記後側部材との間に架設されるとともに、それ自体で折り畳み可能に構成された連結部材とを有し、
前記連結部材が折り畳まれて、前記前側部材と前記後側部材とが、前記表示片の裏側に重なった収納状態と、
前記連結部材が引張されて、前記前側部材と前記後側部材とが上方へ向けて間隔が広がる姿勢となり、前記連結部材の上方に表示片を載置する載置部を構成するとともに、前記綴じ部の下方に複数の表示片を垂らした使用状態とに変更可能であることを特徴とするイメージ情報表示装置。
【手続補正２】
【補正対象書類名】明細書
【補正対象項目名】０００７
【補正方法】変更
【補正の内容】
【０００７】
以上のような問題を解決する本発明は、以下のような構成を有する。
（１） 視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面を視認することで、つながりのある情報を表現するとともに、表示片の裏面に表示された文字情報は、一つ後の表示片のイメージ情報に関連した情報であるイメージ情報表示装置であって、
前記表示片の表面を起立させた状態に維持するとともに、裏側に繰られた表示片を、起立させられた表面に対して傾斜した状態で保持する台座を有し、
前記台座は、前記表示片の裏面に沿って配置され、前記表示片の表面を起立させた状態に維持する表示片保持部材と、
前記表示片保持部材の一端部に、一端が折り曲げ自在に接続され、裏側に繰られた表示片を、起立させられた表面に対して傾斜した状態で、表示片の裏面が、略上方を向くように保持する載置部材と、
前記載置部材の他端に、一端が折り曲げ自在に接続され、前記載置部材を下側から支える立設部材とを備えていることを特徴とするイメージ情報表示装置。
（２）更に、前記台座は、
前記表示片保持部材の一端部に折り曲げ自在に接続された支持部材と、
前記表示片保持部材の他端部に折り曲げ自在に接続された基材と、
前記基材に設けられ、前記支持部材の先端部が着脱自在に係止される第１係止部とを備え、
前記第1係止部に前記支持部材の先端部が接続され、前記表示片保持部材が表示片を起立状態に維持する使用状態と、
前記第1係止部から前記支持部材の先端部を取り外し、前記基材と前記支持部材とを、前記表示片保持部材に重なるように折り曲げることにより、前記複数の表示片と台座とが重なった収納状態となることを特徴とする上記（１）に記載のイメージ情報表示装置。
（３） 前記立設部材の他端には、前記基材に着脱自在に係止される第２係止部を備え、
前記第２係止部が前記基材に係止された状態で、前記載置部材上に前記表示片が載置され得る使用状態となり、前記第２係止部を前記基材から取り外し、前記載置部材と前記立設部材とを折り畳んで、前記複数の表示片と台座とが重なった収納状態とすることを特徴とする上記（２）に記載のイメージ情報表示装置。
（４）視覚情報が表裏面に表示された複数の表示片と、
前記複数の表示片を重ねた状態で、それらの一端辺を開閉自在に綴じる綴じ部とを有し、前記表示片の表面にはイメージ情報が表示され、裏面には文字情報が表示されており、
重ねられた順番に表示片の表面を視認することで、つながりのある情報を表現するとともに、表示片の裏面に表示された文字情報は、一つ後の表示片のイメージ情報に関連した情報であるイメージ情報表示装置であって、
前記表示片の表面を起立させた状態に維持するとともに、裏側に繰られた表示片を、起立させられた表面に対して傾斜した状態で保持する台座を有し、
前記台座は、前記表示片の裏側に配置され、前記複数の表示片とともに綴じ部によって上端縁が綴じられた前側部材と、
前記前側部材の下端に対して、直接または間接に、折り曲げ自在に接続された後側部材と、
前記前側部材と前記後側部材との間に架設されるとともに、それ自体で折り畳み可能に構成された連結部材とを有し、
前記連結部材が折り畳まれて、前記前側部材と前記後側部材とが、前記表示片の裏側に重なった収納状態と、
前記連結部材が引張されて、前記前側部材と前記後側部材とが上方へ向けて間隔が広がる姿勢となり、前記連結部材の上方に表示片を載置する載置部を構成するとともに、前記綴じ部の下方に複数の表示片を垂らした使用状態とに変更可能であることを特徴とするイメージ情報表示装置。
【手続補正３】
【補正対象書類名】明細書
【補正対象項目名】００２５
【補正方法】変更
【補正の内容】
【００２５】
図１に示されている状態では、ファスナ４３１、４３１がファスナ３１１、３１１に接続固定されており、載置部材４２は、立設部材４１によって下側から支えられ、綴じ部２０から、後方下方に傾斜した状態となっている。表示片２−１〜４は、表側（前側）に位置する表示片から順に、綴じ部２０を中心として捲りあげられて、載置部材４２の上に載せられる。載置部材４２は後方下方に傾斜しているので、正面側から表示片のイメージ情報を見ている対象者の視界には、載置部材４２に載っている表示片が入らない。